(57)【要約】【課題】機器の設置位置の判断に労力をかけずに、機器を設置領域に簡単に設置する。【解決手段】無線通信部３２は、設置領域に設置する会議用デバイス１０の識別情報を取得する。設置位置判断部３４は、少なくとも会議用デバイス１０の識別情報と設置位置の組合せを記録した組合せ情報を取得し、取得された会議用デバイス１０の識別情報と組合せ情報に基づいて、設置領域に設置する会議用デバイス１０の設置位置を判断する。設置位置提示部３５は、設置位置判断部３４により判断された会議用デバイス１０の設置位置を提示する。【選択図】  図７
2015050683.tif 000002
【特許請求の範囲】
【請求項１】
機器が設置される設置領域における前記機器の設置位置を提示する機器の設置位置提示装置であって、
前記設置領域に設置する前記機器の識別情報を取得する識別情報取得手段と、
少なくとも前記機器の前記識別情報と前記設置位置の組合せを記録した組合せ情報を取得する組合せ情報取得手段と、
取得された前記機器の前記識別情報と前記組合せ情報に基づいて、前記設置領域に設置する前記機器の設置位置を判断する設置位置判断手段と、
前記設置位置判断手段により判断された前記機器の設置位置を提示する設置位置提示手段と、
を備えた機器の設置位置提示装置。
【請求項２】
請求項１に記載された機器の設置位置提示装置において、
前記設置領域に設置された前記機器の設置位置を検知する設置位置検知手段と、
前記機器を前記設置領域に設置したときに、前記識別情報取得手段により取得された前記機器の識別情報と、前記設置位置検知手段により検知された前記機器の設置位置の組合せを記録する前記組合せ情報の記録手段と、を備え、
前記組合せ情報取得手段は、前記記録手段に記録された前記組合せ情報を取得する機器の設置位置提示装置。
【請求項３】
請求項１又は２に記載された機器の設置位置提示装置において、
前記機器の識別情報は、前記機器のスペック情報である機器の設置位置提示装置。
【請求項４】
請求項１ないし３のいずれかに記載された機器の設置位置提示装置において、
前記機器は、会議用デバイスであり、
前記機器を使用する会議の参加人数を取得する参加人数取得手段を備え、
前記組合せ情報は、前記識別情報、前記設置位置、及び、前記会議の参加人数の組合せを記録した情報を有し、
前記設置位置判断手段は、取得された前記機器の前記識別情報、前記組合せ情報、及び、前記会議の参加人数に基づいて、前記設置領域に設置する前記機器の設置位置を判断する機器の設置位置提示装置。
【請求項５】
請求項１ないし３のいずれかに記載された機器の設置位置提示装置において、
前記組合せ情報は、前記設置領域に同時に設置される複数の前記機器の前記識別情報と前記設置位置の組合せを記録した情報を有する機器の設置位置提示装置。
【請求項６】
請求項５に記載された機器の設置位置提示装置において、
前記設置位置判断手段は、前記設置領域に設置する前記機器の識別情報に一致する同一識別情報を含む前記機器の前記識別情報と前記設置位置の全ての組合せを判別する手段を有し、判別された前記全ての組合せの前記同一識別情報に組合された全ての前記設置位置を、前記設置領域に設置する前記機器の設置位置と判断し、
前記設置位置提示手段は、前記設置位置判断手段により判断された全ての前記機器の設置位置を、前記全ての組合せの他の設置位置とともに提示する機器の設置位置提示装置。
【請求項７】
請求項５に記載された機器の設置位置提示装置において、
前記識別情報取得手段により取得された複数の前記機器の識別情報と、前記組合せ情報に基づいて、前記設置領域に設置する複数の前記機器の設置位置を合成する合成手段と、
前記合成手段により合成された複数の前記機器の設置位置を提示する合成位置提示手段と、
を備えた機器の設置位置提示装置。
【請求項８】
機器の設置位置提示装置のコンピュータを、請求項１ないし７のいずれかに記載された機器の設置位置提示装置の各手段として機能させるためのプログラム。
【請求項９】
機器と、請求項１ないし７のいずれかに記載された機器の設置位置提示装置と、を備えた機器の設置位置提示システム。
【請求項１０】
請求項９に記載された機器の設置位置提示システムにおいて、
前記組合せ情報は、前記識別情報、前記設置位置、及び、前記機器の変更可能な設定の設定情報の組合せを記録した情報を有し、
前記組合せ情報から、前記設置領域に設置する前記機器の前記設定情報を取得する設定情報取得手段と、
前記設定情報取得手段により取得された前記機器の前記設定情報に基づいて、前記機器の設定を変更する設定変更手段と、
を備えた機器の設置位置提示システム。
【請求項１１】
機器が設置される設置領域における前記機器の設置位置を提示する機器の設置位置提示方法であって、
前記設置領域に設置する前記機器の識別情報を取得する識別情報取得工程と、
少なくとも前記機器の前記識別情報と前記設置位置の組合せを記録した組合せ情報を取得する組合せ情報取得工程と、
取得された前記機器の前記識別情報と前記組合せ情報に基づいて、前記設置領域に設置する前記機器の設置位置を判断する設置位置判断工程と、
前記設置位置判断工程で判断された前記機器の設置位置を提示する設置位置提示工程と、
を有する機器の設置位置提示方法。
【請求項１２】
請求項１１に記載された機器の設置位置提示方法において、
前記機器を前記設置領域に設置したときに、前記機器の前記識別情報と前記設置位置の組合せを記録する前記組合せ情報の記録工程を有し、
前記組合せ情報の記録工程は、前記設置領域に設置された前記機器の設置位置を検知する工程と、前記設置領域に設置された前記機器の識別情報を取得する工程と、検知された前記機器の設置位置と取得された前記機器の識別情報の組合せを記録する工程と、を有する機器の設置位置提示方法。
【請求項１３】
請求項１１又は１２に記載された機器の設置位置提示方法において、
前記機器の識別情報は、前記機器のスペック情報である機器の設置位置提示方法。
【請求項１４】
請求項１１ないし１３のいずれかに記載された機器の設置位置提示方法において、
前記機器は、会議用デバイスであり、
前記機器を使用する会議の参加人数を取得する参加人数取得工程を有し、
前記組合せ情報は、前記識別情報、前記設置位置、及び、前記会議の参加人数の組合せを記録した情報を有し、
前記設置位置判断工程は、取得された前記機器の前記識別情報、前記組合せ情報、及び、前記会議の参加人数に基づいて、前記設置領域に設置する前記機器の設置位置を判断する工程を有する機器の設置位置提示方法。
【請求項１５】
請求項１１ないし１３のいずれかに記載された機器の設置位置提示方法において、
前記組合せ情報は、前記設置領域に同時に設置される複数の前記機器の前記識別情報と前記設置位置の組合せを記録した情報を有する機器の設置位置提示方法。
【請求項１６】
請求項１５に記載された機器の設置位置提示方法において、
前記設置位置判断工程は、前記設置領域に設置する前記機器の識別情報に一致する同一識別情報を含む前記機器の前記識別情報と前記設置位置の全ての組合せを判別する工程と、判別された前記全ての組合せの前記同一識別情報に組合された全ての前記設置位置を、前記設置領域に設置する前記機器の設置位置と判断する工程と、を有し、
前記設置位置提示工程は、前記設置位置判断工程で判断された全ての前記機器の設置位置を、前記全ての組合せの他の設置位置とともに提示する工程を有する機器の設置位置提示方法。
【請求項１７】
請求項１５に記載された機器の設置位置提示方法において、
前記識別情報取得工程で取得された複数の前記機器の識別情報と、前記組合せ情報に基づいて、前記設置領域に設置する複数の前記機器の設置位置を合成する合成工程と、
前記合成工程で合成された複数の前記機器の設置位置を提示する合成位置提示工程と、
を有する機器の設置位置提示方法。
【発明の詳細な説明】
【技術分野】
【０００１】
本発明は、設置領域に設置される機器の設置位置を提示する機器の設置位置提示装置、設置位置提示システム、設置位置提示方法、及び、プログラムに関する。
【背景技術】
【０００２】
設置領域に設置される機器として、例えば、会議においては、プロジェクタ等の会議用デバイスが広く使用されている。この会議用デバイスを会議室に持ち込んで会議で使用するときには、会議用デバイスの設置領域（例えば、デスクの上面）における設置位置を判断して、会議用デバイスを設置領域内の適切な位置に設置する必要がある。また、会議用デバイスの設定を変更し、各設定を会議用デバイスの設置位置に合わせて調整する必要もあり、会議用デバイスの使用には手間がかかる。そこで、従来、ＧＰＳ受信機により設置後の位置情報を取得して、位置情報に関連付けられた設定情報によりセットアップを行い、設定の手間を削減したプロジェクタが知られている（特許文献１参照）。
【０００３】
ところが、会議には、様々なプロジェクタが使用されており、プロジェクタ毎に、設置領域における適切な設置位置が相違し、例えば、スペック（通常焦点距離、短焦点距離等）に対応して、プロジェクタの設置すべき位置が変化する。これに対し、特許文献１に記載されたプロジェクタでは、設置領域のどの位置にプロジェクタを設置すべきか分からず、ユーザが、設置位置を判断して、プロジェクタを適切な位置に設置する必要がある。そのため、プロジェクタの設置位置の判断に要する労力が多くなり、設置領域にプロジェクタを簡単に設置することができない。
【０００４】
また、プロジェクタに加えて、会議には、様々なスペックと種類の会議用デバイスが使用されており、同時に使用される複数の会議用デバイスによって、会議用デバイスの設置すべき位置は変化する。例えば、プロジェクタとテレビ会議システムを同時に使用するときには、プロジェクタの投影面に影ができないようにテレビ会議システムを設置し、或いは、テレビ会議システムのカメラに光が直接入らないようにプロジェクタを設置する。このように、複数の会議用デバイスを同時に使用するときには、会議用デバイスの設置位置を様々な条件に基づいて判断する必要があり、会議用デバイスの設置位置の判断が複雑になる。
【発明の概要】
【発明が解決しようとする課題】
【０００５】
本発明は、前記従来の問題に鑑みなされたもので、その目的は、機器を設置領域に設置するときに、機器の設置位置の判断に労力をかけずに、機器を簡単に設置することである。
【課題を解決するための手段】
【０００６】
本発明は、機器が設置される設置領域における前記機器の設置位置を提示する機器の設置位置提示装置であって、前記設置領域に設置する前記機器の識別情報を取得する識別情報取得手段と、少なくとも前記機器の前記識別情報と前記設置位置の組合せを記録した組合せ情報を取得する組合せ情報取得手段と、取得された前記機器の前記識別情報と前記組合せ情報に基づいて、前記設置領域に設置する前記機器の設置位置を判断する設置位置判断手段と、前記設置位置判断手段により判断された前記機器の設置位置を提示する設置位置提示手段と、を備えた機器の設置位置提示装置である。
【発明の効果】
【０００７】
本発明によれば、機器を設置領域に設置するときに、機器の設置位置の判断に労力をかけずに、機器を簡単に設置することができる。
【図面の簡単な説明】
【０００８】
【図１】第１実施形態の会議用デバイスの設置位置提示システムを示す斜視図である。
【図２】第１実施形態の会議用デバイスの構成を示すブロック図である。
【図３】第１実施形態の会議用デバイスの設置位置提示装置の構成を示すブロック図である。
【図４】第１実施形態の会議用デバイスの設置位置提示装置の構成を示すブロック図である。
【図５】第１実施形態の会議用デバイスの設置位置提示システムによる会議用デバイスの設置情報の記録手順を示すシーケンス図である。
【図６】第１実施形態の会議用デバイスの設置位置提示装置が記録する組合せ情報を示す図である。
【図７】第１実施形態の会議用デバイスの設置位置提示システムによる会議用デバイスの設置位置の提示手順を示すシーケンス図である。
【図８】第１実施形態の会議用デバイスの設置位置提示装置による会議用デバイスの設置位置の提示手順を示すフローチャートである。
【図９】第１実施形態の会議用デバイスの設置位置提示装置により提示された会議用デバイスの設置位置を示す斜視図である。
【図１０】第２実施形態の会議用デバイスの設置位置提示装置が記録する組合せ情報を示す図である。
【図１１】第３実施形態の会議用デバイスの設置位置提示システムによる会議用デバイスの設置位置の提示手順を示すシーケンス図である。
【図１２】第４実施形態の会議用デバイスの設置位置提示システムによる会議用デバイスの設置位置の提示手順を示すシーケンス図である。
【図１３】第５実施形態の会議用デバイスの設置位置提示装置が記録する組合せ情報を示す図である。
【図１４】第５実施形態の会議用デバイスの設置位置提示装置による会議用デバイスの設置位置の提示手順を示すフローチャートである。
【図１５】第６実施形態の会議用デバイスの設置位置提示装置が記録する組合せ情報を示す図である。
【図１６】第６実施形態の会議用デバイスの設置位置提示システムによる会議用デバイスの設置情報の記録手順を示すシーケンス図である。
【図１７】第６実施形態の会議用デバイスの設置位置提示システムによる会議用デバイスの設置位置の提示手順を示すシーケンス図である。
【図１８】第６実施形態の会議用デバイスの設置位置提示装置による会議用デバイスの設置位置の提示手順を示すフローチャートである。
【図１９】第７実施形態の会議用デバイスの設置位置提示装置が記録する組合せ情報を可視化した平面図である。
【図２０】第７実施形態の会議用デバイスの設置位置提示装置による会議用デバイスの設置位置の提示手順を示すフローチャートである。
【図２１】第７実施形態の会議用デバイスの設置位置提示装置により提示された会議用デバイスの設置位置を示す斜視図である。
【図２２】第８実施形態の会議用デバイスの設置位置提示装置による会議用デバイスの設置位置の提示処理を示す平面図である。
【図２３】第８実施形態の会議用デバイスの設置位置提示装置による会議用デバイスの設置位置の提示手順を示すフローチャートである。
【図２４】第８実施形態の会議用デバイスの設置位置提示装置による会議用デバイスの設置位置の提示の可否を判断する手順を示すフローチャートである。
【発明を実施するための形態】
【０００９】
本発明の機器の設置位置提示装置、機器の設置位置提示システム、及び、機器の設置位置提示方法の一実施形態について、図面を参照して説明する。
ここで、機器とは、設置領域に設置される被設置機器であり、事務用機器又は家庭用機器に限定されず、設置領域における設置位置が判断される種々の機器を含む。以下では、機器が会議用デバイスである場合を例にとり、会議用デバイスの設置位置提示装置、設置位置提示システム、設置位置提示方法（単に、提示装置、提示システム、提示方法という）の複数の実施形態について説明する。
【００１０】
（第１実施形態）
図１は、第１実施形態の提示システム１を示す斜視図である。
図示のように、提示システム１は、提示装置２と、会議用デバイス１０を備えており、提示装置２は、会議支援デスク３に組み込まれている。会議で会議用デバイス１０を使用するときに、提示システム１及び提示装置２は、会議用デバイス１０が設置される所定の設置領域４（デバイス設置領域）における会議用デバイス１０の設置位置を提示して、会議を支援する。
【００１１】
会議用デバイス１０の設置領域４は、会議支援デスク３の上面である。提示装置２は、設置領域４の任意の位置に設置された会議用デバイス１０と通信するとともに、設置領域４に会議用デバイス１０の設置位置を提示する。会議用デバイス１０は、会議で使用される移動可能な装置、例えば、プロジェクタ、テレビ会議システム、カメラ、又は、録音装置である。ここでは、会議用デバイス１０は、プロジェクタであり、設置領域４内の一部に設置された状態で使用される。
【００１２】
提示装置２と会議用デバイス１０は、ＣＰＵ（Central Processing Unit）、ＲＯＭ（Read Only Memory）、ＲＡＭ（Random Access Memory）等からなるコンピュータ（図示せず）を備えている。会議用デバイス１０を設置領域４に設置したときには、提示装置２と会議用デバイス１０が通信して、所定データが提示装置２と会議用デバイス１０の間で送受信される。また、提示装置２と会議用デバイス１０は、ＣＰＵによりプログラムを実行することで得られる機能実現手段として、以下説明する複数の手段を有する。
【００１３】
図２は、第１実施形態の会議用デバイス１０の構成を示すブロック図である。
図示のように、会議用デバイス１０は、映像データの入力部１１と、映像の投影部１２と、記憶部１３と、設定部１４と、無線通信部１５と、会議用デバイス１０の全体を制御する制御部１６を備えている。入力部１１と投影部１２は、会議用デバイス１０（プロジェクタ）に特有の部分であり、映像データは、外部装置から入力部１１に入力される。投影部１２は、映像データに基づいて、投影面（スクリーン、壁等）に映像を投影する。
【００１４】
記憶部１３は、会議用デバイス１０の識別情報と、会議用デバイス１０の設定情報を記憶する。会議用デバイス１０の識別情報は、会議用デバイス１０を識別するための所定情報、例えば、機種名、スペック、シリアルナンバである。会議用デバイス１０の設定情報は、会議用デバイス１０の作動条件を規定する変更可能な設定の情報であり、会議用デバイス１０は、設定に基づいて作動する。会議用デバイス１０の設定の種類と数は、会議用デバイス１０の種類、機能等に対応して変化する。
【００１５】
ここでは、会議用デバイス１０の識別情報は、会議用デバイス１０の機種名であり、機種名により、会議用デバイス１０の種類に加えて、性能も識別可能である。また、この会議用デバイス１０では、台形補正と輝度の設定が変更可能であり、設定情報が、会議用デバイス１０の使用時における台形補正と輝度の設定値からなる。ユーザは、設定部１４を使用して、会議用デバイス１０の設定を行い、この会議用デバイス１０の設定情報は、記憶部１３に記憶される。
【００１６】
無線通信部１５は、提示装置２と通信する通信手段の一例であり、ここでは、ＮＦＣ（Near Field Communication）規格に準拠した近距離無線通信装置（ＮＦＣ通信モジュール）からなる。会議用デバイス１０が設置領域４に設置されたときに、会議用デバイス１０は、無線通信部１５により提示装置２と通信し、記憶部１３に記憶された識別情報（機種名）と設定情報（設定値）を提示装置２に送信する。また、提示装置２により提示された設置位置に会議用デバイス１０が設置された状態で、会議用デバイス１０は、無線通信部１５により、設置位置に対応した設定情報を提示装置２から受信する。この提示装置２から受信した設定情報に基づいて、制御部１６により、会議用デバイス１０の設定が変更される。従って、制御部１６は、会議用デバイス１０の設定を変更する設定変更手段でもある。
【００１７】
図３は、第１実施形態の提示装置２の構成を示すブロック図であり、会議支援デスク３の具体的な内部構成を示している。
図示のように、提示装置２は、会議用デバイス１０の検知装置２０と、会議用デバイス１０の設置位置を表示する表示装置２１と、ＮＦＣ通信モジュール２２と、ＣＰＵ２３と、ＨＤＤ（Hard Disk Drive）２４を備えている。検知装置２０は、設置領域４の全体に配置された多数の検知センサを有し、検知センサにより、設置領域４に設置された会議用デバイス１０の設置位置を検知する。ここでは、検知装置２０の検知センサは、感圧センサであり、会議用デバイス１０の重量に反応して、会議用デバイス１０を検知する。
【００１８】
会議用デバイス１０が設置領域４に設置されたときに、検知装置２０は、会議用デバイス１０を検知した感圧センサの位置から、会議用デバイス１０の設置位置を検知する。設置位置は、設置領域４における会議用デバイス１０の位置を一意的に特定する情報である。ここでは、設置領域４（図１参照）に設定した直交座標系（Ｘ−Ｙ座標系）に基づいて、会議用デバイス１０の設置位置を座標により表す。Ｘ−Ｙ座標系は、設置領域４内の基準位置Ｗを原点とする互いに直行する２つの軸（Ｘ軸、Ｙ軸）により構成される。具体的には、設置領域４の角部を基準位置Ｗ（Ｘ＝０、Ｙ＝０）として、会議用デバイス１０の設置位置の座標を所定単位（ここでは、ｍｍ）で表す。
【００１９】
表示装置２１（図３参照）は、設置領域４の全体に配置された多数のＬＥＤ（Light Emitting Diode）を有し、会議用デバイス１０の設置位置に対応するＬＥＤのみを発光させて、会議用デバイス１０の設置位置を表示する。設置領域４の全体には、多数のＮＦＣ通信モジュール２２が配置されており、会議用デバイス１０が設置領域４に設置されたときに、ＮＦＣ通信モジュール２２が会議用デバイス１０の無線通信部１５と通信する。
【００２０】
図４は、第１実施形態の提示装置２の構成を示すブロック図であり、提示装置２の複数の機能部を示している。
図示のように、提示装置２は、ユーザの操作に使用される操作部３０と、設置位置検知部３１と、無線通信部３２と、記録部３３と、設置位置判断部３４と、設置位置提示部３５と、提示装置２の全体を制御する制御部３６を備えている。設置位置検知部３１は、会議用デバイス１０の設置位置検知手段であり、検知装置２０により、設置領域４に設置された会議用デバイス１０の設置領域４における実際の設置位置を検知して、会議用デバイス１０の設置位置情報を取得する。
【００２１】
無線通信部３２は、会議用デバイス１０と通信する通信手段の一例であり、ＮＦＣ通信モジュール２２により、会議用デバイス１０の無線通信部１５と無線接続される。会議用デバイス１０が設置領域４に設置されたときに、提示装置２は、無線通信部３２により会議用デバイス１０と通信し、会議用デバイス１０から識別情報と設定情報を受信する。また、提示装置２により提示された設置位置に会議用デバイス１０が設置された状態で、提示装置２は、無線通信部３２により、設置位置に対応した設定情報を会議用デバイス１０に送信する。
【００２２】
記録部３３は、会議用デバイス１０の複数の設置情報の組合せを記録する組合せ情報の記録手段であり、ＨＤＤ２４からなる。会議用デバイス１０の設置情報は、会議用デバイス１０の識別情報、設置位置、及び、設定情報からなり、会議用デバイス１０が設置領域４へ設置されたときに、これら複数の設置情報の組合せ（設置情報の組）が、組合せ情報として記録部３３に記録される。従って、組合せ情報は、記録部３３に予め記録された設置情報の複数の組からなり、過去の会議用デバイス１０の識別情報、設置位置、及び、設定情報の複数の組合せの情報を有する。
【００２３】
会議用デバイス１０を設置領域４に設置するときに、設置位置判断部３４は、識別情報取得手段である無線通信部３２により、設置領域４に設置する会議用デバイス１０から、会議用デバイス１０の識別情報を取得する。また、記録部３３に記録された上記した組合せ情報を取得することで、設置位置判断部３４は、少なくとも会議用デバイス１０の識別情報と設置位置の組合せを記録した組合せ情報を取得する。取得された会議用デバイス１０の識別情報と組合せ情報に基づいて、設置位置判断部３４は、設置領域４に設置する会議用デバイス１０の設置領域４における設置位置を判断する。このように、設置位置判断部３４は、組合せ情報取得手段であり、かつ、会議用デバイス１０の設置位置判断手段でもある。
【００２４】
設置位置提示部３５は、設置位置判断部３４により判断された会議用デバイス１０の設置位置を表示装置２１により表示して、会議用デバイス１０の設置位置を設置領域４に提示する。会議用デバイス１０は、設置位置判断部３４による設置位置の判断前には、設置領域４の任意の位置に設置されており、設置位置提示部３５による設置位置の提示後に、提示され設置位置に設置される。
【００２５】
上記したように、組合せ情報は、会議用デバイス１０の識別情報、設置位置、及び、設定情報の複数の組合せを記録した情報を有する。設置位置判断部３４は、設定情報取得手段であり、会議用デバイス１０の設置位置を判断するとともに、組合せ情報から、設置領域４に設置する会議用デバイス１０の設定情報を取得する。この設定情報は、設定情報送信手段である無線通信部３２により、会議用デバイス１０に送信される。会議用デバイス１０（図２参照）では、設置位置判断部３４により取得された設定情報に基づいて、制御部１６により、会議用デバイス１０の設定が変更される。
【００２６】
次に、提示システム１の提示装置２により、会議用デバイス１０の設置位置を提示するまでの手順について説明する。この手順は、会議用デバイス１０の設置情報の組（組合せ情報）を記録する手順と、予め記録された組合せ情報に基づいて、会議用デバイス１０の設置位置を提示する手順の２つの手順からなる。まず、会議用デバイス１０の設置情報の組を記録する手順について説明する。
【００２７】
図５は、第１実施形態の提示システム１による会議用デバイス１０の設置情報の記録手順を示すシーケンス図であり、矢印により手順の流れを示している。
図示のように、まず、ユーザ５は、会議用デバイス１０を設置領域４に設置して、会議用デバイス１０の電源をオンにし、会議用デバイス１０の設定を調整する。その後、ユーザ５により提示装置２の操作部３０に設けられた設置完了ボタンが押されると（Ｓ１０１）、会議用デバイス１０の設置完了が提示装置２の制御部３６に通知される。次に、制御部３６は、設置位置検知部３１に、会議用デバイス１０の設置位置の検知を要求する（Ｓ１０２）。
【００２８】
設置位置検知部３１は、設置領域４に設置された会議用デバイス１０の設置位置を検知し（Ｓ１０３）、制御部３６は、設置位置検知部３１から、会議用デバイス１０の設置位置（検知位置）を取得する（Ｓ１０４）。続いて、制御部３６は、無線通信部３２に、会議用デバイス１０の識別情報と設定情報（ここでは、機種名と設定値）の取得を要求する（Ｓ１０５）。無線通信部３２は、通信可能な位置にある会議用デバイス１０の無線通信部１５と通信経路を確立し（Ｓ１０６）、会議用デバイス１０に機種名と設定値の送信を要求する（Ｓ１０７）。次に、無線通信部３２は、会議用デバイス１０の無線通信部１５から会議用デバイス１０の機種名と設定値を受信し（Ｓ１０８）、制御部３６は、無線通信部３２から、設置領域４に設置された会議用デバイス１０の機種名と設定値を取得する（Ｓ１０９）。その後、制御部３６は、会議用デバイス１０の機種名、設置位置、及び、設定値の組を、記録日時とともに記録部３３に記録する（Ｓ１１０）。
【００２９】
ユーザ５が設置位置を判断して会議用デバイス１０を設置領域４に設置したときに、以上の手順により、組合せ情報が記録部３３に記録され、会議用デバイス１０の設置領域４への設置の度に、記録部３３に組合せ情報が追加される。その際、記録部３３は、無線通信部３２により取得された実際の会議用デバイス１０の識別情報と、設置位置検知部３１により検知された実際の会議用デバイス１０の設置位置の組合せを記録する。
【００３０】
図６は、第１実施形態の提示装置２が記録する組合せ情報を示す図であり、７つの組合せ情報の例を示している。
図示のように、会議用デバイス１０の識別情報（機種名）、設置位置、及び、設定情報（設定値）が組み合わされて、これら設置情報の組が組合せ情報として記録部３３に記録される。なお、会議用デバイス１０の設置位置は、基準位置Ｗを原点としたＸ方向とＹ方向の座標からなる。また、会議用デバイス１０の設定値は、プロジェクタＡ〜Ｅでは、台形補正と輝度の値からなり、テレビ会議システムＡ、Ｂでは、音量とマイク感度の値からなる。提示システム１の提示装置２は、記録部３３に記録された組合せ情報に基づいて、会議用デバイス１０の設置位置を提示する。
【００３１】
図７は、第１実施形態の提示システム１による会議用デバイス１０の設置位置の提示手順を示すシーケンス図である。
図示のように、まず、ユーザ５は、会議で使用する会議用デバイス１０を設置領域４の任意の位置に設置して、会議用デバイス１０の電源をオンにし（Ｓ２０１）、提示装置２の操作部３０に設けられた開始ボタンを押す（Ｓ２０２）。これにより、会議用デバイス１０の設置位置の提示処理を開始する指示が提示装置２の制御部３６に通知される。次に、制御部３６が、設置位置判断部３４に、会議用デバイス１０の設置位置の判断を要求し（Ｓ２０３）、設置位置判断部３４が、設置位置検知部３１に、会議用デバイス１０の設置位置の検知を要求する（Ｓ２０４）。
【００３２】
設置位置検知部３１は、設置領域４に設置された会議用デバイス１０の設置位置を検知し（Ｓ２０５）、設置位置判断部３４は、設置位置検知部３１から、会議用デバイス１０の設置位置を取得する（Ｓ２０６）。続いて、設置位置判断部３４は、無線通信部３２に、会議用デバイス１０の機種名の取得を要求する（Ｓ２０７）。無線通信部３２は、通信可能な位置にある会議用デバイス１０の無線通信部１５と通信経路を確立し（Ｓ２０８）、会議用デバイス１０に機種名の送信を要求する（Ｓ２０９）。次に、無線通信部３２は、会議用デバイス１０の無線通信部１５から会議用デバイス１０の機種名を受信し（Ｓ２１０）、設置位置判断部３４は、無線通信部３２から、設置領域４に設置する会議用デバイス１０の機種名を取得する（Ｓ２１１）。
【００３３】
続いて、設置位置判断部３４は、過去に記録された組合せ情報の取得を記録部３３に要求し（Ｓ２１２）、記録部３３から、記録された組合せ情報（図６参照）を取得する（Ｓ２１３）。また、後述するように、設置位置判断部３４は、無線通信部３２により取得された会議用デバイス１０の機種名（取得機種名）に基づいて組合せ情報を検索し、会議用デバイス１０の設置位置を判断する。その際、会議用デバイス１０の取得機種名（例えば、プロジェクタＢ）が検索キーとして使用されて、検索キーに基づいて、組合せ情報に含まれる設置情報の組が検索される。設置位置判断部３４は、会議用デバイス１０の設置位置を判断した後、設置位置提示部３５に設置位置の提示を要求する（Ｓ２１４）。
【００３４】
図８は、第１実施形態の提示装置２による会議用デバイス１０の設置位置の提示手順を示すフローチャートである。
図示のように、設置位置判断部３４は、組合せ情報から、会議用デバイス１０の設置情報（機種名、設置位置、及び、設定値）の１つの組（組合せ）の情報を取得し（Ｓ１１）、設置情報の組に含まれる機種名と検索キーを比較する（Ｓ１２）。その結果、機種名と検索キーが一致しないときには（Ｓ１２、Ｎｏ）、設置位置判断部３４は、組合せ情報に、検索キーとの比較を行っていない設置情報の組が存在するか否かを判断する（Ｓ１３）。比較を行っていない設置情報の組が存在するときには（Ｓ１３、Ｙｅｓ）、比較を行っていない設置情報の１つの組の情報を取得して（Ｓ１１）、設置情報の組に含まれる機種名と検索キーを比較する。
【００３５】
全ての設置情報の組に含まれる機種名と検索キーが一致せずに、検索キーとの比較を行っていない設置情報の組が存在しなくなったときには（Ｓ１３、Ｎｏ）、設置位置判断部３４は、会議用デバイス１０の設置位置の候補が存在しないと判断する。続いて、設置位置提示部３５が、会議用デバイス１０の設置位置として提示できる設置位置の候補が存在しないことをユーザ５に通知する（Ｓ１４）。その際、設置位置提示部３５は、例えば、表示装置２１により、会議用デバイス１０の設置位置を提示できない旨を表示する。
【００３６】
これに対し、機種名と検索キーが一致したときには（Ｓ１２、Ｙｅｓ）、設置位置判断部３４は、設置情報の組に含まれる設置位置を、設置領域４に設置する会議用デバイス１０の設置位置と判断する。続いて、設置位置提示部３５が、設置位置判断部３４により判断された会議用デバイス１０の設置位置をユーザ５に提示する（Ｓ１５）。
【００３７】
図９は、第１実施形態の提示装置２により提示された会議用デバイス１０の設置位置Ｐ１を示す斜視図である。
図示のように、提示装置２は、設置位置提示部３５により、会議支援デスク３の設置領域４に、会議用デバイス１０の設置領域４における設置位置Ｐ１を提示する。設置位置Ｐ１は、表示装置２１により、会議用デバイス１０の形状に対応した形状をなすように表示される。
【００３８】
その後（図７参照）、ユーザ５は、会議用デバイス１０の電源をオフにし（Ｓ２１５）、提示装置２の設置位置提示部３５により提示された設置位置Ｐ１に会議用デバイス１０を設置する（Ｓ２１６）。また、ユーザ５は、会議用デバイス１０の電源をオンにし（Ｓ２１７）、提示装置２の操作部３０に設けられた設置完了ボタンを押す（Ｓ２１８）。これにより、会議用デバイス１０の設置完了が制御部３６に通知される。続いて、制御部３６は、設置位置判断部３４に、会議用デバイス１０の設定の変更を要求し（Ｓ２１９）、設置位置判断部３４は、組合せ情報から、設置領域４に設置された会議用デバイス１０の設定情報を取得する。その際、設置位置判断部３４は、会議用デバイス１０の設置位置Ｐ１と判断された設置情報の組から、設定情報を取得して、無線通信部３２に、会議用デバイス１０の設定変更を要求する（Ｓ２２０）。
【００３９】
無線通信部３２は、設置位置Ｐ１に設置された会議用デバイス１０の無線通信部１５と通信経路を確立し（Ｓ２２１）、会議用デバイス１０の設定情報を会議用デバイス１０に送信する。また、無線通信部３２により、会議用デバイス１０に設定変更が要求され（Ｓ２２２）、会議用デバイス１０の制御部１６により、会議用デバイス１０の設定が変更される。なお、設置位置判断部３４による設定変更の要求（Ｓ２２０）から無線通信部３２による設定変更の要求（Ｓ２２２）までの手順を、設置位置Ｐ１の提示要求（Ｓ２１４）と会議用デバイス１０の電源オフ（Ｓ２１５）の間に行うようにしてもよい。この場合には、設置位置判断部３４は、設置位置提示部３５に設置位置Ｐ１の提示を要求した後、無線通信部３２に、会議用デバイス１０の設定変更を要求する。これにより、会議用デバイス１０の設置位置Ｐ１への設置前に、予め、会議用デバイス１０の設定情報が会議用デバイス１０に送信されて、会議用デバイス１０の設定が変更される。
【００４０】
以上説明した提示システム１、提示装置２、及び、提示システム１と提示装置２における提示方法では、会議用デバイス１０の設置位置Ｐ１の判断に労力をかけずに、会議用デバイス１０を設置領域４に簡単に設置することができる。また、設置領域４に設置された会議用デバイス１０の過去の組合せ情報に基づいて、会議用デバイス１０を設置領域４の適切な位置に設置することができる。その際、ユーザ５が会議用デバイス１０の種類等を考慮する必要がなく、ユーザ５の負担が軽減される。会議用デバイス１０の設定を設定情報に基づいて変更することで、手間をかけずに、会議用デバイス１０の設定を行うことができる。
【００４１】
なお、第１実施形態では、提示装置２は、会議支援デスク３に組み込まれており、単体の装置からなっている。これに対し、提示装置２は、例えば、会議支援デスク３、会議支援デスク３の各構成を制御する制御装置、及び、制御装置に接続された記憶装置からなるようにしてもよい。即ち、提示装置２は、単体の装置にせずに、別個に設けられた複数の装置からなるようにしてもよい。また、会議用デバイス１０の設置位置は、例えば、赤外線センサを用いて検知してもよく、カメラにより撮影した設置領域４の画像に基づいて検知するようにしてもよい。
【００４２】
次に、他の実施形態（第２〜第８実施形態）の提示システム１と提示装置２について説明する。第２〜第８実施形態の提示システム１と提示装置２は、基本的には、第１実施形態の提示システム１と提示装置２と同様に構成され、それらと同様の効果を発揮する。従って、以下では、既に説明した事項と相違する事項について詳しく説明する。また、第１〜第８実施形態の提示システム１と提示装置２において、同じ構成には同じ符号を付す。
【００４３】
（第２実施形態）
図１０は、第２実施形態の提示装置２が記録する組合せ情報を示す図であり、５つの組合せ情報の例を示している。
図示のように、ここでは、会議用デバイス１０の識別情報は、会議用デバイス１０を識別可能な会議用デバイス１０のスペック情報であり、記録部３３は、会議用デバイス１０のスペック、設置位置、及び、設定値の組を組合せ情報として記録する。例えば、会議用デバイス１０がプロジェクタであるときには、会議用デバイス１０の設置位置に最も影響を与える焦点距離の性能情報が、スペック情報として使用される。会議用デバイス１０を設置領域４に設置したときに、提示装置２の無線通信部３２が、会議用デバイス１０からスペック情報を取得し、取得されたスペック情報が、他の情報と組み合わされて記録部３３に記録される。
【００４４】
設置領域４における会議用デバイス１０の設置位置を判断するときには、無線通信部３２は、設置領域４に設置する会議用デバイス１０のスペック情報を取得する。この取得されたスペック情報（取得スペック情報）と組合せ情報に基づいて、提示装置２の設置位置判断部３４は、設置領域４における会議用デバイス１０の設置位置を判断する。その際、会議用デバイス１０の取得スペック情報（例えば、焦点距離＝５０ｃｍ）が検索キーとして使用されて、検索キーに基づいて、組合せ情報に含まれる設置情報の組が検索される。
【００４５】
その結果、設置情報の組に含まれるスペック情報と検索キーが一致したときに、設置位置判断部３４は、設置情報の組に含まれる設置位置を、設置領域４に設置する会議用デバイス１０の設置位置と判断する。或いは、検索キーの焦点距離が設置情報の組に含まれるスペック情報の焦点距離内の値であるときに、設置位置判断部３４は、設置情報の組に含まれる設置位置を、設置領域４に設置する会議用デバイス１０の設置位置と判断する。続いて、設置位置提示部３５が、設置位置判断部３４により判断された会議用デバイス１０の設置位置を提示する。このように、スペック情報を会議用デバイス１０の識別情報として使用することで、会議用デバイス１０の機種に関係なく、スペック情報に基づいて、会議用デバイス１０の設置位置をユーザ５に提示することができる。
【００４６】
（第３実施形態）
図１１は、第３実施形態の提示システム１による会議用デバイス１０の設置位置の提示手順を示すシーケンス図である。
図示のように、図１１に示す提示手順は、第１実施形態において説明した図７に示す提示手順における会議用デバイス１０の電源オン（Ｓ２０１）と電源オフ（Ｓ２１５）の手順がない点が、図７に示す提示手順と相違する。その他の手順は、図１１に示す提示手順と図７に示す提示手順とで同じになっている。即ち、図１１に示す提示手順のＳ３０１〜Ｓ３１３は、図７に示す提示手順のＳ２０２〜Ｓ２１４と同じであり、図１１に示す提示手順のＳ３１４〜Ｓ３２０は、図７に示す提示手順のＳ２１６〜Ｓ２２２と同じである。
【００４７】
ここでは、会議用デバイス１０の無線通信部１５が、パッシブ型のＮＦＣ通信モジュールからなる。会議用デバイス１０を設置領域４に設置したときに、会議用デバイス１０の電源をオンにすることなく、提示装置２の無線通信部３２が、会議用デバイス１０の無線通信部１５と通信する。そのため、ユーザ５が会議用デバイス１０を設置領域４に設置して操作部３０の開始ボタンを押すだけで（Ｓ３０１）、その後の手順が開始される。これに伴い、設置位置判断部３４が、設置位置検知部３１により、会議用デバイス１０の設置位置を取得し（Ｓ３０２〜Ｓ３０５）、無線通信部３２により、設置領域４に設置する会議用デバイス１０の機種名を取得する（Ｓ３０６〜Ｓ３１０）。その際、無線通信部３２は、会議用デバイス１０の電源がオフの状態で、会議用デバイス１０の無線通信部１５が記憶する会議用デバイス１０の機種名を取得する。
【００４８】
また、設置位置判断部３４は、記録部３３から組合せ情報を取得して（Ｓ３１１、Ｓ３１２）、会議用デバイス１０の設置位置を判断し、設置位置提示部３５は、会議用デバイス１０の設置位置を提示する（Ｓ３１３）。ユーザ５は、電源がオフの会議用デバイス１０を提示された設置位置に設置して（Ｓ３１４）、会議用デバイス１０の電源をオンにする（Ｓ３１５）。その後、会議用デバイス１０に設定の変更が要求され、会議用デバイス１０の設定が変更される（Ｓ３１６〜Ｓ３２０）。
【００４９】
このように、会議用デバイス１０の無線通信部１５は、会議用デバイス１０の電源がオフの状態で、提示装置２の無線通信部３２と通信するパッシブ型の通信手段からなる。そのため、会議用デバイス１０の識別情報を取得するためだけに、会議用デバイス１０の電源をオンにする必要がなく、会議用デバイス１０の電源をオンにする手間をなくすことができる。また、会議用デバイス１０に対する操作が簡単になり、操作ミスの発生を抑制することもできる。
【００５０】
（第４実施形態）
図１２は、第４実施形態の提示システム１による会議用デバイス１０の設置位置の提示手順を示すシーケンス図である。
図示のように、図１２に示す提示手順では、ユーザ５による会議用デバイス１０の設置（Ｓ４１６）よりも後の手順が、第１実施形態において説明した図７に示す提示手順と相違する。それ以前の手順（Ｓ４０１〜Ｓ４１６）は、図７に示す提示手順のＳ２０１〜Ｓ２１６と同じである。
【００５１】
会議用デバイス１０の電源がオンになり、設置位置提示部３５により会議用デバイス１０の設置位置が提示された後（Ｓ４０１〜Ｓ４１４）、ユーザ５は、会議用デバイス１０の電源をオフにする（Ｓ４１５）。続いて、ユーザ５が、設置位置提示部３５により提示された設置位置に会議用デバイス１０を設置したときに（Ｓ４１６）、設置位置検知部３１が、提示された設置位置に会議用デバイス１０が設置されたことを検知する（Ｓ４１７）。
【００５２】
続いて、設置位置検知部３１は、設置位置判断部３４に、会議用デバイス１０の設定変更を要求し（Ｓ４１８）、設置位置判断部３４は、無線通信部３２に、会議用デバイス１０の設定変更を要求する（Ｓ４１９）。無線通信部３２は、会議用デバイス１０の電源がオンになり、無線通信部１５との通信経路の確立に成功するまで、通信経路の確立処理を繰り返す。
【００５３】
その状態で、ユーザ５が会議用デバイス１０の電源をオンにすると（Ｓ４２０）、無線通信部３２は、設置位置に設置された会議用デバイス１０の無線通信部１５と通信経路を確立し（Ｓ４２１）、会議用デバイス１０の設定情報を会議用デバイス１０に送信する。また、無線通信部３２により、会議用デバイス１０に設定変更が要求され（Ｓ４２２）、会議用デバイス１０の制御部１６により、会議用デバイス１０の設定が変更される。
【００５４】
このように、会議用デバイス１０の設置位置への設置をトリガとして、会議用デバイス１０の設定変更が要求される。そのため、ユーザ５が操作を行うことなく、会議用デバイス１０の設定変更の処理を進めることができる。また、会議用デバイス１０の電源をオンにするだけで、設定情報が会議用デバイス１０に送信されて、会議用デバイス１０の設定が変更される。従って、会議用デバイス１０に対する操作が簡単になり、ユーザ５の手間を削減することができる。
【００５５】
（第５実施形態）
図１３は、第５実施形態の提示装置２が記録する組合せ情報を示す図であり、４つの組合せ情報の例を示している。
図示のように、１つの会議用デバイス１０が設置領域４に設置されるときには、記録部３３は、１つの会議用デバイス１０の機種名、設置位置、及び、設定値の組を組合せ情報として記録する。また、複数の会議用デバイス１０が設置領域４に同時に設置されるときには、記録部３３は、複数の会議用デバイス１０の機種名、設置位置、及び、設定値の組を組合せ情報として記録する。
【００５６】
複数の会議用デバイス１０を設置領域４に設置したときに、提示装置２の無線通信部３２が、複数の会議用デバイス１０の機種名と設定値を取得し、設置位置検知部３１が、複数の会議用デバイス１０の設置位置を検知する。その後、複数の会議用デバイス１０の機種名、設置位置、及び、設定値の組合せが、組合せ情報として記録部３３に記録される。ここでは、記録部３３は、設置領域４に同時に設置されるプロジェクタＢとテレビ会議システムＡ（又は、プロジェクタＣとテレビ会議システムＢ）の機種名、設置位置、及び、設定値を１つの組として記録する。
【００５７】
設置領域４における複数の会議用デバイス１０の設置位置を判断するときには、無線通信部３２は、設置領域４に設置する複数の会議用デバイス１０の全ての機種名を取得する。この取得された複数の機種名（取得機種名）と組合せ情報に基づいて、提示装置２の設置位置判断部３４は、設置領域４における複数の会議用デバイス１０の設置位置を判断する。その際、複数の会議用デバイス１０の取得機種名（例えば、プロジェクタＢとテレビ会議システムＡ）が検索キーとして使用されて、検索キーに基づいて、組合せ情報に含まれる設置情報の組が検索される。
【００５８】
図１４は、第５実施形態の提示装置２による会議用デバイス１０の設置位置の提示手順を示すフローチャートである。
図示のように、提示装置２の設置位置判断部３４は、組合せ情報から、会議用デバイス１０の設置情報（機種名、設置位置、及び、設定値）の１つの組（組合せ）の情報を取得し（Ｓ２１）、設置情報の組に含まれる機種名と検索キーを比較する（Ｓ２２）。その結果、設置情報の組に含まれる機種名と検索キーが全て一致したときには（Ｓ２２、Ｙｅｓ）、設置位置判断部３４は、設置情報の組に含まれる設置位置を、設置領域４に設置する会議用デバイス１０の設置位置と判断する。続いて、設置位置提示部３５が、会議用デバイス１０の設置位置をユーザ５に提示する（Ｓ２３）。
【００５９】
具体的には、検索キーに含まれる機種名の数が設置情報の組に含まれる機種名の数と等しく、かつ、検索キーに含まれる全ての機種名が設置情報の組に含まれる機種名と一致したときに、その設置情報に含まれる会議用デバイス１０の設置位置が提示される。これにより、複数の会議用デバイス１０の設置位置が設置領域４に提示される。
【００６０】
これに対し、設置情報の組に含まれる機種名と検索キーの一部又は全てが一致しないときには（Ｓ２２、Ｎｏ）、設置位置判断部３４は、組合せ情報に、検索キーとの比較を行っていない設置情報の組が存在するか否かを判断する（Ｓ２４）。その結果、比較を行っていない設置情報の組が存在するときには（Ｓ２４、Ｙｅｓ）、比較を行っていない設置情報の１つの組の情報を取得して（Ｓ２１）、設置情報の組に含まれる機種名と検索キーを比較する。全ての設置情報の組に含まれる機種名と検索キーが一致せずに、検索キーとの比較を行っていない設置情報の組が存在しなくなったときには（Ｓ２４、Ｎｏ）、設置位置判断部３４は、会議用デバイス１０の設置位置の候補が存在しないと判断する。続いて、設置位置提示部３５が、会議用デバイス１０の設置位置として提示できる設置位置の候補が存在しないことをユーザ５に通知する（Ｓ２５）。
【００６１】
このように、組合せ情報が、設置領域４に同時に設置される複数の会議用デバイス１０の識別情報と設置位置の組合せを記録した情報を有するときには、複数の会議用デバイス１０を設置領域４に簡単に設置することができる。その際、ユーザ５が複数の会議用デバイス１０の組合せを考慮する必要がなく、複数の会議用デバイス１０を適切な位置に設置することができる。
【００６２】
（第６実施形態）
図１５は、第６実施形態の提示装置２が記録する組合せ情報を示す図であり、４つの組合せ情報の例を示している。
図示のように、ここでは、記録部３３は、会議用デバイス１０の機種名、設置位置、設定値、及び、参加人数の組を組合せ情報として記録する。参加人数は、会議用デバイス１０を使用する会議に参加する人（参加者）の数である。
【００６３】
図１６は、第６実施形態の提示システム１による会議用デバイス１０の設置情報の記録手順を示すシーケンス図である。
図示のように、図１６に示す記録手順では、最初に追加された会議の参加人数の入力（Ｓ５０１）の手順が、第１実施形態において説明した図５に示す記録手順と相違する。その後の手順（Ｓ５０２〜Ｓ５１１）は、図５に示す記録手順のＳ１０１〜Ｓ１１０と同じである。ただし、会議の参加人数の入力に伴い、最後の手順（Ｓ５１１）は、図５に示す記録手順の最後の手順（Ｓ１１０）と部分的に相違する。
【００６４】
ここでは、ユーザ５は、設置領域４に会議用デバイス１０を設置して、提示装置２の操作部３０に設けられた入力部により、会議の参加人数を入力し（Ｓ５０１）、操作部３０に設けられた設置完了ボタンを押す（Ｓ５０２）。これに伴い、提示装置２の制御部３６が、設置位置検知部３１により、会議用デバイス１０の設置位置を取得し（Ｓ５０３〜Ｓ５０５）、無線通信部３２により、会議用デバイス１０に機種名と設定値を取得する（Ｓ５０６〜Ｓ５１０）。次に、制御部３６は、会議用デバイス１０の機種名、設置位置、設定値、会議の参加人数の組を記録部３３に記録する（Ｓ５１１）。この記録部３３に記録された組合せ情報に基づいて、提示装置２は、会議用デバイス１０の設置位置を提示する。
【００６５】
図１７は、第６実施形態の提示システム１による会議用デバイス１０の設置位置の提示手順を示すシーケンス図である。
図示のように、図１７に示す提示手順では、会議の参加人数の入力と通知（Ｓ６０２、Ｓ６０３）の手順が、第１実施形態において説明した図７に示す提示手順と相違する。その他の手順（Ｓ６０１、Ｓ６０４〜Ｓ６２４）は、図７に示す提示手順のＳ２０１〜Ｓ２２２と同じである。
【００６６】
ユーザ５は、まず、会議用デバイス１０を設置領域４に設置して、会議用デバイス１０の電源をオンにし（Ｓ６０１）、提示装置２の操作部３０に設けられた入力部により、会議の参加人数を入力する（Ｓ６０２）。入力された会議の参加人数は、制御部３６から設置位置判断部３４に通知されて（Ｓ６０３）、設置位置判断部３４により取得される。従って、制御部３６と設置位置判断部３４は、会議用デバイス１０を使用する会議の参加人数を取得する参加人数取得手段を構成する。続いて、ユーザ５が操作部３０に設けられた開始ボタンを押すと（Ｓ６０４）、設置位置判断部３４が、設置位置検知部３１により、会議用デバイス１０の設置位置を取得する（Ｓ６０５〜Ｓ６０８）。また、設置位置判断部３４は、無線通信部３２により、設置領域４に設置する会議用デバイス１０の機種名を取得し（Ｓ６０９〜Ｓ６１３）、記録部３３から組合せ情報を取得する（Ｓ６１４、Ｓ６１５）。
【００６７】
次に、設置位置判断部３４は、後述するように、取得された会議用デバイス１０の機種名、組合せ情報、及び、会議の参加人数に基づいて、設置領域４に設置する会議用デバイス１０の設置位置を判断する。この判断された設置位置は、設置位置提示部３５により提示される（Ｓ６１６）。続いて、ユーザ５は、会議用デバイス１０の電源をオフにし（Ｓ６１７）、会議用デバイス１０を提示された設置位置に設置して（Ｓ６１８）、会議用デバイス１０の電源をオンにする（Ｓ６１９）。その後、会議用デバイス１０に設定の変更が要求されて、会議用デバイス１０の設定が変更される（Ｓ６２０〜Ｓ６２４）。
【００６８】
図１８は、第６実施形態の提示装置２による会議用デバイス１０の設置位置の提示手順を示すフローチャートである。
図示のように、設置位置判断部３４は、組合せ情報から、会議用デバイス１０の設置情報（機種名、設置位置、設定値、及び、参加人数）の１つの組（組合せ）の情報を取得し（Ｓ３１）、設置情報の組に含まれる機種名と検索キーを比較する（Ｓ３２）。その際、比較される検索キーは、無線通信部３２により取得された設置領域４に設置する会議用デバイス１０の機種名（例えば、プロジェクタＢ）である。比較の結果、機種名と検索キーが一致したときには（Ｓ３２、Ｙｅｓ）、設置位置判断部３４は、取得した設置情報の組を、会議用デバイス１０の設置位置の候補を含む組（設置位置候補の組）とする（Ｓ３３）。
【００６９】
次に、設置位置判断部３４は、組合せ情報に、検索キーとの比較を行っていない設置情報の組が存在するか否かを判断する（Ｓ３４）。また、機種名と検索キーが一致しないときにも（Ｓ３２、Ｎｏ）、設置位置判断部３４は、組合せ情報に、検索キーとの比較を行っていない設置情報の組が存在するか否かを判断する（Ｓ３４）。その結果、比較を行っていない設置情報の組が存在するときには（Ｓ３４、Ｙｅｓ）、比較を行っていない設置情報の１つの組の情報を取得して（Ｓ３１）、設置情報の組に含まれる機種名と検索キーを比較する。これにより、組合せ情報から、全ての設置位置候補の組を判別する。
【００７０】
検索キーとの比較を行っていない設置情報の組が存在しなくなったときには（Ｓ３４、Ｎｏ）、設置位置判断部３４は、設置位置候補の組が存在するか否かを判断する（Ｓ３５）。その結果、設置位置候補の組が存在しないときには（Ｓ３５、Ｎｏ）、設置位置提示部３５が、会議用デバイス１０の設置位置として提示できる設置位置の候補が存在しないことをユーザ５に通知する（Ｓ３６）。これに対し、設置位置候補の組が存在するときには（Ｓ３５、Ｙｅｓ）、設置位置判断部３４は、設置位置候補の組が複数存在するか否かを判断する（Ｓ３７）。その結果、設置位置候補の組が１つだけ存在するときには（Ｓ３７、Ｎｏ）、設置位置判断部３４は、その設置位置候補の組に含まれる設置位置を、設置領域４に設置する会議用デバイス１０の設置位置と判断する。続いて、設置位置提示部３５が、会議用デバイス１０の設置位置をユーザ５に提示する（Ｓ３８）。
【００７１】
設置位置候補の組が複数存在するときには（Ｓ３７、Ｙｅｓ）、設置位置判断部３４は、参加人数取得手段により取得された会議の参加人数（例えば、１９人）を検索キーとして、設置位置候補の組に含まれる参加人数（記録参加人数）を検索する。その際、設置位置判断部３４は、記録参加人数と検索キーの参加人数を比較して、検索キーの参加人数に最も近い記録参加人数を含む設置位置候補の組を選択する（Ｓ３９）。具体的には、設置位置判断部３４は、記録参加人数と検索キーの参加人数の差を算出して、差が最も小さい記録参加人数を判別し、判別された記録参加人数を含む設置位置候補の組を選択する。選択された設置位置候補の組に含まれる設置位置が、設置位置判断部３４により、設置領域４に設置する会議用デバイス１０の設置位置と判断されて、設置位置提示部３５により提示される（Ｓ３８）。
【００７２】
ここで、会議の参加人数に対応して、会議用デバイス１０の設置領域４における設置位置が変わることがある。例えば、テレビ会議システムにおいては、参加人数が少ないときには、カメラは、参加者が大きく写るように、参加者に近い位置に設置され、参加人数が多いときには、カメラは、全ての参加者が写るように、参加者から遠い位置に設置される。これに対し、ここでは、組合せ情報は、会議用デバイス１０の識別情報、設置位置、及び、会議の参加人数の組合せを記録した情報を有しており、会議用デバイス１０の設置位置は、識別情報に加えて、会議の参加人数に基づいて判断される。そのため、会議用デバイス１０を、会議の参加人数に対応して、設置領域４の適切な位置に設置することができる。
【００７３】
（第７実施形態）
図１９は、第７実施形態の提示装置２が記録する組合せ情報を可視化した平面図であり、設置領域４における会議用デバイス１０の設置位置を示している。
図示のように、ここでは、会議用デバイス１０は、プロジェクタＡとテレビ会議システムＡ、Ｂであり、組合せ情報は、会議用デバイス１０の設置情報（機種名、設置位置）の複数の組Ｋ１〜Ｋ３を記録した情報を有する。設置情報の組Ｋ１（図１９Ａ参照）は、１つの会議用デバイス１０の機種名（プロジェクタＡ）と設置位置Ｐ２の組からなる。設置情報の組Ｋ２（図１９Ｂ参照）は、２つの会議用デバイス１０の機種名（プロジェクタＡ、テレビ会議システムＡ）と設置位置Ｐ３、Ｐ４の組からなる。設置情報の組Ｋ３（図１９Ｃ参照）は、２つの会議用デバイス１０の機種名（プロジェクタＡ、テレビ会議システムＢ）と設置位置Ｐ５、Ｐ６の組からなる。プロジェクタＡは、３つの設置情報の組Ｋ１〜Ｋ３で共通する。
【００７４】
ここで、複数の会議用デバイス１０を会議で使用するときに、１つの会議用デバイス１０のみが使用可能で、他の会議用デバイス１０が別の会議で使用されていることがある。この場合には、会議の開始前に、１つの会議用デバイス１０が設置領域４に設置され、別の会議での使用が終了した後に、他の会議用デバイス１０が設置領域４に追加で設置される。これに対応して、第７実施形態の提示装置２は、設置領域４に同時に設置される可能性がある全ての会議用デバイス１０の設置位置を予め提示する。例えば、プロジェクタＡを設置領域４に設置するときには、設置情報の組Ｋ１〜Ｋ３に含まれるプロジェクタＡの設置位置Ｐ２、Ｐ３、Ｐ５を、設置情報の組Ｋ１〜Ｋ３に含まれる他の設置位置Ｐ４、Ｐ６とともに提示する。
【００７５】
図２０は、第７実施形態の提示装置２による会議用デバイス１０の設置位置の提示手順を示すフローチャートである。
図示のように、設置位置判断部３４は、組合せ情報から、会議用デバイス１０の設置情報（機種名、設置位置、及び、設定値）の１つの組（組合せ）の情報を取得し（Ｓ４１）、設置情報の組に含まれる機種名と検索キーを比較する（Ｓ４２）。その際、比較される検索キーは、無線通信部３２により取得された設置領域４に設置する会議用デバイス１０の機種名（ここでは、プロジェクタＡ）である。比較の結果、機種名と検索キーが一致したときには（Ｓ４２、Ｙｅｓ）、設置位置判断部３４は、取得した設置情報の組を、会議用デバイス１０の設置位置の候補を含む組（設置位置候補の組）とする（Ｓ４３）。
【００７６】
次に、設置位置判断部３４は、組合せ情報に、検索キーとの比較を行っていない設置情報の組が存在するか否かを判断する（Ｓ４４）。また、機種名と検索キーが一致しないときにも（Ｓ４２、Ｎｏ）、設置位置判断部３４は、組合せ情報に、検索キーとの比較を行っていない設置情報の組が存在するか否かを判断する（Ｓ４４）。その結果、比較を行っていない設置情報の組が存在するときには（Ｓ４４、Ｙｅｓ）、比較を行っていない設置情報の１つの組の情報を取得して（Ｓ４１）、設置情報の組に含まれる機種名と検索キーを比較する。これにより、組合せ情報から、全ての設置位置候補の組を判別する。
【００７７】
検索キーとの比較を行っていない設置情報の組が存在しなくなったときには（Ｓ４４、Ｎｏ）、設置位置判断部３４は、設置位置候補の組が存在するか否かを判断する（Ｓ４５）。その結果、設置位置候補の組が存在しないときには（Ｓ４５、Ｎｏ）、設置位置提示部３５が、会議用デバイス１０の設置位置として提示できる設置位置の候補が存在しないことをユーザ５に通知する（Ｓ４６）。
【００７８】
設置位置候補の組が存在するときには（Ｓ４５、Ｙｅｓ）、設置位置判断部３４は、全ての設置位置候補の組に含まれる設置位置の内、検索キーに一致する機種名に組合された全ての設置位置を、設置領域４に設置する会議用デバイス１０の設置位置と判断する。続いて、設置位置提示部３５は、全ての設置位置候補の組に含まれる会議用デバイス１０の設置位置をユーザ５に提示する（Ｓ４７）。ここでは、設置情報の組Ｋ１〜Ｋ３（図１９参照）に、検索キーと同じプロジェクＡが含まれるため、設置情報の組Ｋ１〜Ｋ３が設置位置候補の組となり、設置情報の組Ｋ１〜Ｋ３に含まれる設置位置Ｐ２〜Ｐ６が提示される。
【００７９】
図２１は、第７実施形態の提示装置２により提示された会議用デバイス１０の設置位置を示す斜視図である。
図示のように、提示装置２は、会議支援デスク３の設置領域４に、会議用デバイス１０の複数の設置位置Ｐ２〜Ｐ６を提示する。複数の設置位置Ｐ２〜Ｐ６は、設置情報の組Ｋ１〜Ｋ３毎に区別して提示され、例えば、設置情報の組Ｋ１〜Ｋ３毎に異なる色で提示される。
【００８０】
プロジェクタＡのみを会議で使用するときには、プロジェクタＡを、設置情報の組Ｋ１に含まれるプロジェクタＡの設置位置Ｐ２に設置する。また、プロジェクタＡをテレビ会議システムＡと同時に使用するときには、プロジェクタＡを、設置情報の組Ｋ２に含まれるプロジェクタＡの設置位置Ｐ３に設置する。その後、テレビ会議システムＡを、設置情報の組Ｋ２に含まれるテレビ会議システムＡの設置位置Ｐ４に設置する。プロジェクタＡをテレビ会議システムＢと同時に使用するときには、プロジェクタＡを、設置情報の組Ｋ３に含まれるプロジェクタＡの設置位置Ｐ５に設置する。その後、テレビ会議システムＢを、設置情報の組Ｋ３に含まれるテレビ会議システムＢの設置位置Ｐ６に設置する。
【００８１】
以上のように、ここでは、設置位置判断部３４は、取得された会議用デバイス１０の識別情報と組合せ情報に基づいて、会議用デバイス１０の設置情報の組（組合せ）が所定条件を満たすか否かを判別する手段（判別手段）を有する。この判別手段は、設置領域４に設置する会議用デバイス１０の識別情報に一致する識別情報（同一識別情報）を含む会議用デバイス１０の識別情報と設置位置の全ての組合せを判別する。設置位置判断部３４は、判別手段により判別された全ての組合せにおいて、上記した同一識別情報に組合された全ての設置位置を、設置領域４に設置する会議用デバイス１０の設置位置と判断する。
【００８２】
設置位置提示部３５は、判別手段により判別された全ての組合せに含まれる全ての設置位置をユーザ５に提示する。その際、設置位置提示部３５は、設置位置判断部３４により判断された全ての会議用デバイス１０の設置位置を、判別手段により判別された全ての組合せの他の設置位置とともに、組合せ毎に区別して提示する。具体的には、会議用デバイス１０の設置位置として、３つの設置位置Ｐ２、Ｐ３、Ｐ５が提示され、他の設置位置として、２つの設置位置Ｐ４、Ｐ６が提示される。このようにすることで、会議用デバイス１０を会議中に追加するときでも、会議用デバイス１０の設置位置の提示手順を再び行う必要がなく、会議用デバイス１０を設置領域４に簡単に設置することができる。
【００８３】
（第８実施形態）
図２２は、第８実施形態の提示装置２による会議用デバイス１０の設置位置の提示処理を示す平面図であり、設置領域４における会議用デバイス１０の設置位置を示している。
図示のように、ここでは、会議用デバイス１０は、テレビ会議システムＡ、プロジェクタＡ、及び、プロジェクタＢである。これら３つの会議用デバイス１０は、設置領域４に同時に設置されて、会議で同時に使用される。ただし、組合せ情報は、３つの会議用デバイス１０の設置情報の組を記録した情報を有さず、それぞれ２つの会議用デバイス１０の設置情報の組Ｋ４、Ｋ５を記録した情報を有する。設置情報の組Ｋ４（図２２Ａ参照）は、２つの会議用デバイス１０の機種名（テレビ会議システムＡ、プロジェクタＡ）と設置位置Ｐ７、Ｐ８の組からなる。設置情報の組Ｋ５（図２２Ｂ参照）は、２つの会議用デバイス１０の機種名（テレビ会議システムＡ、プロジェクタＢ）と設置位置Ｐ７、Ｐ９の組からなる。
【００８４】
テレビ会議システムＡは、２つの設置情報の組Ｋ４、Ｋ５で共通しており、テレビ会議システムＡの設置位置Ｐ７も、２つの設置情報の組Ｋ４、Ｋ５で共通する。従って、２つの設置情報の組Ｋ４、Ｋ５を組み合わせることで（図２２Ｃ参照）、３つの会議用デバイス１０の設置位置Ｐ７〜Ｐ９（設置位置Ｐ７〜Ｐ９の組合せ）を合成することができる。第８実施形態の提示装置２では、無線通信部３２は、設置領域４に設置する複数の会議用デバイス１０の全ての機種名を取得する。その後、合成手段である設置位置判断部３４が、２つの設置情報の組Ｋ４、Ｋ５を組み合わせて、複数の会議用デバイス１０の設置位置Ｐ７〜Ｐ９を合成する。続いて、合成位置提示手段である設置位置提示部３５が、設置位置判断部３４により合成された複数の会議用デバイス１０の設置位置Ｐ７〜Ｐ９を設置領域４に提示する。
【００８５】
図２３は、第８実施形態の提示装置２による会議用デバイス１０の設置位置の提示手順を示すフローチャートである。
図示のように、設置位置判断部３４は、組合せ情報から、会議用デバイス１０の設置情報（機種名、設置位置、及び、設定値）の１つの組（組合せ）の情報を取得し（Ｓ５１）、設置情報の組に含まれる機種名と検索キーを比較する（Ｓ５２）。その際、比較される検索キーは、無線通信部３２により取得された複数の会議用デバイス１０の機種名（ここでは、テレビ会議システムＡ、プロジェクタＡ、及び、プロジェクタＢ）である。比較の結果、設置情報の組に含まれる機種名と検索キーが全て一致したときには（Ｓ５２、Ｙｅｓ）、設置位置判断部３４は、設置情報の組に含まれる設置位置を、設置領域４に設置する複数の会議用デバイス１０の設置位置と判断する。続いて、設置位置提示部３５が、複数の会議用デバイス１０の設置位置をユーザ５に提示する（Ｓ５３）。
【００８６】
これに対し、設置情報の組に含まれる機種名と検索キーが完全には一致しないときには（Ｓ５２、Ｎｏ）、設置位置判断部３４は、設置情報の組に含まれる機種名と検索キーの一部が一致するか否かを判断する（Ｓ５４）。その結果、設置情報の組に含まれる機種名と検索キーの一部が一致したときには（Ｓ５４、Ｙｅｓ）、設置位置判断部３４は、取得した設置情報の組を、会議用デバイス１０の設置位置の候補を含む組（設置位置候補の組）とする（Ｓ５５）。続いて、設置位置判断部３４は、組合せ情報に、検索キーとの比較を行っていない設置情報の組が存在するか否かを判断する（Ｓ５６）。また、設置情報の組に含まれる機種名と検索キーの全てが一致しないときにも（Ｓ５４、Ｎｏ）、設置位置判断部３４は、組合せ情報に、検索キーとの比較を行っていない設置情報の組が存在するか否かを判断する（Ｓ５６）。
【００８７】
比較を行っていない設置情報の組が存在するときには（Ｓ５６、Ｙｅｓ）、比較を行っていない設置情報の１つの組の情報を取得して（Ｓ５１）、設置情報の組に含まれる機種名と検索キーを比較する。これにより、設置位置判断部３４は、組合せ情報から、全ての設置位置候補の組を判別する。検索キーとの比較を行っていない設置情報の組が存在しなくなったときには（Ｓ５６、Ｎｏ）、設置位置判断部３４は、設置位置候補の組が存在するか否かを判断する（Ｓ５７）。その結果、設置位置候補の組が存在しないときには（Ｓ５７、Ｎｏ）、設置位置提示部３５が、会議用デバイス１０の設置位置として提示できる設置位置の候補が存在しないことをユーザ５に通知する（Ｓ５８）。
【００８８】
設置位置候補の組が存在するときには（Ｓ５７、Ｙｅｓ）、後述するように、設置位置判断部３４は、複数の設置位置候補の組を組み合わせて、複数の会議用デバイス１０の設置位置を提示できるか否かを判断する（Ｓ５９）。その結果、複数の会議用デバイス１０の設置位置を提示できないときには（Ｓ５９、Ｎｏ）、設置位置提示部３５が、会議用デバイス１０の設置位置として提示できる設置位置の候補が存在しないことをユーザ５に通知する（Ｓ５８）。複数の会議用デバイス１０の設置位置を提示できるときには（Ｓ５９、Ｙｅｓ）、上記したように、設置位置判断部３４は、複数の設置位置候補の組を組み合わせて、複数の会議用デバイス１０の設置位置を合成する。続いて、設置位置提示部３５が、合成された複数の会議用デバイス１０の設置位置をユーザ５に提示する（Ｓ５３）。
【００８９】
図２４は、第８実施形態の提示装置２による会議用デバイス１０の設置位置の提示の可否を判断する手順を示すフローチャートである。
提示装置２の設置位置判断部３４は、複数の設置位置候補の組の全ての組合せに対して、図２４に示す手順により、複数の会議用デバイス１０の設置位置の提示の可否を判断する。例えば、設置位置候補の組として３つの組Ｖ１、Ｖ２、Ｖ３があるときには、複数の設置位置候補の組の４つの組合せ（Ｖ１とＶ２、Ｖ１とＶ３、Ｖ２とＶ３、Ｖ１〜Ｖ３）に対して、複数の会議用デバイス１０の設置位置の提示の可否を判断する。
【００９０】
具体的には、設置位置判断部３４は、組合せた複数の設置位置候補の組に、共通する機種名が存在するか否かを判断し（Ｓ６１）、共通の機種名が存在しないときには（Ｓ６１、Ｎｏ）、複数の会議用デバイス１０の設置位置を提示できないと判断する（Ｓ６２）。これに対し、共通の機種名が存在するときには（Ｓ６１、Ｙｅｓ）、設置位置判断部３４は、組合せた複数の設置位置候補の組において、共通の機種の設置位置が同じか否かを判断する（Ｓ６３）。その結果、共通の機種の設置位置が相違するときには（Ｓ６３、Ｎｏ）、設置位置判断部３４は、複数の会議用デバイス１０の設置位置を提示できないと判断する（Ｓ６２）。共通の機種の設置位置が同じときには（Ｓ６３、Ｙｅｓ）、設置位置判断部３４は、複数の設置位置候補の組に含まれる機種名を組合せて、機種名の組合せ結果（組合せた複数の機種名）が検索キーに含まれる機種名を全て含むか否かを判断する（Ｓ６４）。
【００９１】
機種名の組合せ結果が検索キーに含まれる機種名の全ては含まないときには（Ｓ６４、Ｎｏ）、設置位置判断部３４は、複数の会議用デバイス１０の設置位置を提示できないと判断する（Ｓ６２）。これに対し、機種名の組合せ結果が検索キーに含まれる機種名を全て含むときには（Ｓ６４、Ｙｅｓ）、設置位置判断部３４は、複数の会議用デバイス１０の設置位置を提示できると判断する（Ｓ６５）。その後、複数の会議用デバイス１０の設置位置が合成される。
【００９２】
以上のように、ここでは、設置位置判断部３４が複数の会議用デバイス１０の設置位置を判断できないときに、複数の会議用デバイス１０の設置位置を合成する。その際、設置位置判断部３４は、無線通信部３２により取得された複数の会議用デバイス１０の識別情報と、組合せ情報に基づいて、設置領域４に設置する複数の会議用デバイス１０の設置位置（設置位置の組合せ）を合成する。そのため、組合せ情報が、複数の会議用デバイス１０の設置情報の組の情報を有さないときでも、複数の会議用デバイス１０の設置位置を提示することができ、複数の会議用デバイス１０を設置領域４に簡単に設置することができる。
【００９３】
以上、本発明の提示システム１、提示装置２、及び、提示方法の複数の実施形態について説明したが、本発明は、提示装置２のコンピュータを、以上説明した提示装置２の各手段として機能させるためのプログラムとして実現することもできる。
【００９４】
また、本発明は、会議用デバイス１０に限定されず、それぞれの設置領域４に設置される種々の機器の設置領域４における設置位置を提示する提示システム１、提示装置２、及び、提示方法に適用できる。設置位置を提示する機器は、例えば、コミュニケーションシステム、コミュニケーション管理システム、コミュニケーション端末、伝送システム、伝送管理システム、又は、伝送端末であってもよい。上記したテレビ会議システムは、コミュニケーションシステムの一例である。同様に、コミュニケーション管理システムの一例としてテレビ会議管理システムがあり、コミュニケーション端末の一例としてテレビ会議端末がある。設置領域４も会議支援デスク３の上面に限定されず、機器が設置される種々の領域が設置領域４として設定可能である。例えば、設置領域４は、機器が設置される物体又はスペースにおける所定領域であってもよく、機器によっては、床面又は壁面であってもよい。
【符号の説明】
【００９５】
１・・・提示システム、２・・・提示装置、３・・・会議支援デスク、４・・・設置領域、５・・・ユーザ、１０・・・会議用デバイス、１１・・・入力部、１２・・・投影部、１３・・・記憶部、１４・・・設定部、１５・・・無線通信部、１６・・・制御部、２０・・・検知装置、２１・・・表示装置、２２・・・ＮＦＣ通信モジュール、２３・・・ＣＰＵ、２４・・・ＨＤＤ、３０・・・操作部、３１・・・設置位置検知部、３２・・・無線通信部、３３・・・記録部、３４・・・設置位置判断部、３５・・・設置位置提示部、３６・・・制御部。
【先行技術文献】
【特許文献】
【００９６】
【特許文献１】特開２０１０−２４３８４５号公報
【図１】
2015050683.tif 000003
【図２】
2015050683.tif 000004
【図３】
2015050683.tif 000005
【図４】
2015050683.tif 000006
【図５】
2015050683.tif 000007
【図６】
2015050683.tif 000008
【図７】
2015050683.tif 000009
【図８】
2015050683.tif 000010
【図９】
2015050683.tif 000011
【図１０】
2015050683.tif 000012
【図１１】
2015050683.tif 000013
【図１２】
2015050683.tif 000014
【図１３】
2015050683.tif 000015
【図１４】
2015050683.tif 000016
【図１５】
2015050683.tif 000017
【図１６】
2015050683.tif 000018
【図１７】
2015050683.tif 000019
【図１８】
2015050683.tif 000020
【図１９】
2015050683.tif 000021
【図２０】
2015050683.tif 000022
【図２１】
2015050683.tif 000023
【図２２】
2015050683.tif 000024
【図２３】
2015050683.tif 000025
【図２４】
2015050683.tif 000026